(57)【特許請求の範囲】
【請求項１】
水処理装置であって、
（ａ）交換可能なフィルタカートリッジと、
（ｂ）前記フィルタカートリッジを通過して濾過される水の量を機械的に合計する流量総計手段と、
（ｃ）所定量の水が前記流量総計手段によって総計された後に前記フィルタカートリッジを通過する水流を停止する遮断弁手段を含む、前記交換可能フィルタの有効期限の到来を表示する手段と、
（ｄ）前記流量総計手段をゼロ流量位置にリセットする手段と、
からなり、前記リセット手段が、
(i)前記流量総計手段に接続されて付勢されたばねと、
(ii)前記流量総計手段をリセットすべく前記ばねを解放する手段と、
から成る水処理装置。
【請求項２】
前記有効期限の到来表示手段は、有効期限を表示するための視覚表示手段を含む請求項１に記載の水処理装置。
【請求項３】
前記流量総計手段は、
（ａ）前記水処理装置を通過する水流から動力を得るタービンと、
（ｂ）前記タービンの回転により、前記タービンに接続された第１ギヤ及び最終ギヤを含む複数の連続的に互いに連結されたギヤが回転するよう前記タービンに連結されたギヤ機構と、
（ｃ）前記最終ギヤに接続された回転セクタであって、前記ばねに接続されるとともに、前記セクタが前記最終ギヤによって回転した際に前記ばねを付勢させる回転セクタと、
を含む請求項１に記載の水処理装置。
【請求項４】
前記ばね解放手段は、前記セクタを前記最終ギヤとの接続から解放する手段を含む請求項３に記載の水処理装置。
【請求項５】
前記ばね解放手段は、前記回転セクタが揺動可能に取り付けられているスライドを含み、前記スライドは、前記セクタを前記最終ギヤとの連結から解放することによって前記バネを解放し、もって前記セクタが前記ばねによって前記流量総計手段をリセットすべく前記ゼロ流量位置に戻される請求項４に記載の水処理装置。
【請求項６】
前記スライドは、カムフォロア面を有するとともに、前記流量総計手段をリセットすべく前記カムフォロア面に当接するカムによってスライドさせられる請求項５に記載の水処理装置。
【請求項７】
前記カムは、前記カートリッジが前記水処理装置内に適正に挿入された際に前記流量総計手段がリセットされるように前記フィルタカートリッジの端部から延びている請求項６に記載の水処理装置。
【請求項８】
前記ばねは、対向端部から延びるレバーを有する巻きコイルであり、前記ばねが前記スライドを押して未スライド位置に戻すように前記レバーの一方は前記セクタ上の第１停止部に当接しており、前記レバーの他方は固定された第２停止部に当接している請求項５に記載の水処理装置。
【請求項９】
前記ばね及び前記セクタは、前記スライドの延長部に回転可能に取り付けられている請求項８に記載の水処理装置。
【請求項１０】
前記最終ギヤはピニオンを有し、前記セクタは、前記ピニオンと係合するよう構成された複数の歯を介して直接前記最終ギヤに連結されている請求項３に記載の水処理装置。
【請求項１１】
前記遮断弁手段は、
（ａ）前記セクタに保持され、前記セクタとともに回転するボールと、
（ｂ）前記交換可能フィルタカートリッジの取水開口と、から成り、前記開口はこれを通過する水流を停止すべく前記ボールを収容するよう構成されている請求項３に記載の水処理装置。
【請求項１２】
水処理装置であって、
（ａ）交換可能なフィルタカートリッジと、
（ｂ）前記交換可能フィルタカートリッジを通過して濾過された水の量を総計する流量総計手段と、
（ｃ）前記流量総計手段によって総計された水量が所定量に達した際に前記フィルタカートリッジを通る水流を停止するための遮断弁手段を含む、前記交換可能フィルタカートリッジの有効期限到来を表示する手段と、
（ｄ）前記フィルタカートリッジの交換時に前記流量総計手段をリセットするためのフィルタカートリッジ交換手段を含む、前記流量総計手段をゼロ流量位置に戻すリセット手段と、
から成り、前記リセット手段はばねを有し、前記ばねは、前記カートリッジが前記水処理装置内に適正に挿入された際に開放されて前記流量総計手段をリセットするように前記流量総計手段に連結されているとともに前記総計手段によって付勢され、前記フィルタカートリッジ交換手段はカムを有し、前記カムは、前記カートリッジの挿入時に前記ばねが前記カムによって解放されて前記流量総計手段をリセットするよう前記交換可能フィルタカートリッジから延びている水処理装置。
【請求項１３】
蛇口取付タイプの水処理装置であって、
（ａ）蛇口取付部材と、
（ｂ）前記蛇口取付部材から延び、交換可能なフィルタカートリッジを収納するハウジングと、
（ｃ）前記フィルタカートリッジを介してろ過された水の量を総計する流量総計器と、
（ｄ）前記流量総計器によって総計された水の量が所定量に達した際に前記カートリッジを通過する水流を停止する手段を含み、前記フィルタカートリッジがその有効期限に達したことを表示する有効期限到達表示器と、
（ｅ）前記流量総計器をゼロ流量位置にリセットする手段と、
からなり、前記リセット手段が、
(i)前記流量総計手段に接続されて付勢されたばねと、
(ii)前記流量総計手段をリセットすべく前記ばねを解放する手段と、
から成る蛇口取付タイプの水処理装置。
【請求項１４】
前記流量総計器は、機械的総計器である請求項１３に記載の蛇口取付タイプの水処理装置。
【請求項１５】
前記機械的総計器は、タービンと、互いに連結された複数のギヤを含む請求項１４に記載の蛇口取付タイプの水処理装置。
【請求項１６】
前記流量総計器と協力して前記交換可能フィルタカートリッジの残余有効期限を視覚表示する視覚表示器を更に含む請求項１３に記載の蛇口取付タイプの水処理装置。
【請求項１７】
機械的総計機構と、所定量の水をろ過した際に水流を停止する遮断弁機構と、流量総計リセット機構とを備える水処理装置用水フィルタカートリッジであって、
（ａ）水処理材を含有し、中心軸を有する外側シェルと、
（ｂ）前記シェルの第１端部に近接する取水開口及び前記シェルの第２端部に近接する排水開口と、
（ｃ）前記フィルタカートリッジが前記水処理装置に対して適正に挿入及び取外しされた際に前記流量リセット機構をリセットするように前記外側シェルの前記第１端部から軸方向に延びるカムと、
から成る水処理装置用水フィルタカートリッジ。
【請求項１８】
前記カムは、概ね半径方向内側の前記中心軸に向く二重傾斜前面部を含み、前記前面部は、前記フィルタカートリッジの軸方向挿入時間引抜き時に前記流量総計リセット機構を作動させるようになっている請求項１７に記載の水処理装置用水フィルタカートリッジ。
【請求項１９】
前記外側シェルの第１端部は、前記取水開口及び前記軸方向に延びるカムを有する前記外側シェルの上端である請求項１７に記載の水処理装置用水フィルタカートリッジ。
【請求項２０】
チャンバを有する水処理装置用水フィルタカートリッジであって、
（ａ）水処理材を含有し、中心軸を有する外側シェルと、
（ｂ）前記外側シェルの第１端部に近接し、前記中心軸から半径方向にずれている取水開口と、
（ｃ）前記外側シェルの第２端部に近接し、前記中心軸と概ね同軸の排水開口と、
（ｄ）前記外側シェルの第１端部に設けられた環状溝と、
（ｅ）前記外側シェルの第１端部に設けられ、前記取水開口の前記半径方向のずれと反対方向に前記中心軸から半径方向にずれており、前記環状溝と連通しているノッチと、から成り、
（ｆ）もって、水が前記環状溝から前記ノッチを通り、前記水処理装置を通過し、前記取水開口に流入し、前記水処理材を通過して前記排水開口から出る、水フィルタカートリッジ。
【請求項２１】
前記環状溝は、少なくとも部分的に前記外側シェルの第１端部の周面に沿って延び、前記ノッチは、概ね前記周面まで延びて前記環状溝と液体連通している請求項２０に記載の水フィルタカートリッジ。
【請求項２２】
前記環状溝は、前記外側シェルの第１端部の前記周面全体に沿って延びている請求項２１に記載の水フィルタカートリッジ。
【請求項２３】
前記ノッチは、ほぼ半円形の部分と、前記環状溝と前記ほぼ半円形部分との間を延びてこれらを液体連通せしめる流路部分とを含み、前記半円形部分は、前記水処理装置の前記チャンバにおける水流を向上させる請求項２１に記載の水フィルタカートリッジ。
【発明の詳細な説明】
本発明は、一般に水処理装置に関し、より具体的には有効期限表示、自動遮断、自動遮断のリセット及び迂回を行う機構を備えた水処理装置に関する。
発明の背景
家庭用及びその他の用途の水処理装置が従来から知られている。この様な装置は、水道設備の途中及び終端部分に取り付けられる。前者の例としては、流し台の下に取り付けるタイプのもので、蛇口に達する前に水が濾過される。水道設備の終端部に取り付ける水処理装置としては、カウンタ載せタイプと蛇口取付タイプの２つが一般的である。カウンタ載せタイプ及び流し台下側取り付けタイプに較べ、蛇口取り付けタイプの設計は特別な挑戦をもたらす。この挑戦には、蛇口への取り付けが可能となるよう装置を充分に軽くすること及び貴重な流し台スペースをとらないよう装置を充分にコンパクトにすることが含まれる。
水処理装置は、機械的濾過又は化学処理で水処理を行うことができる。機械的フィルタは、微粒子の通過を防止することによって水処理を行う。機械的フィルタがその耐用期限に近付くと、微粒子の堆積による水流の減少または停止が部品交換の必要性を表示する。これに対し、化学要素の能力を越えた場合、そのような表示は存在しない。化学処理は、吸着（例えば活性炭媒体）或はイオン交換（例えば鉛除去）によってなされる。その化学処理能力はいつかは低下し、処理不能となる。しかし、上記媒体によって水が処理されなくなったことがユーザに表示されることはない。
この結果、フィルタ媒体の様子からその有効期限（寿命）の到来が分らない場合に期限到来をユーザに表示するための研究が盛んに行われている。その一例が米国特許第4,686,037号に示されている。このアプローチでは、プレフィルタ（pre-filter）を用いて汚染物質用を捕獲し、ユーザがプレフィルタの色を基準片と比較して媒体の交換時期を決定する。しかし、この方法は、個人の主観判断に基づくものであるため、誤りやすいという問題をかかえている。また、ユーザが基準フィルタの確認を忘れがちであることや、すでに作用しなくなっているフィルタをまだ浄化作用があると誤信するという問題点もある。
更に、より正確で簡便な有効期限の表示手段は、フィルタ媒体を通過した水の量を合計し、装置内を通過する水が所定量に達したときに自動的に水流を遮断することである。必要となる流量総計及び遮断弁機構は、比較的高価で複雑であるが、これが最も正確な寿命表示手段であると認められるようになった。例えば、合衆国の水処理装置認定機関である国立衛生研究所（The National Sanitation Foundation）は、定格容量の認定に際し、自動遮断を利用しない場合には２倍のフィルタ媒体の能力を、自動遮断を利用した場合にはたった２０％の追加能力を求める。
電気的及び機械的な流量総計法は、いずれも当業者間で周知となっている。電気的な方法は、例えば米国特許第4,918,426号、同第5,089,144号に開示されている。この手法では、例えば変圧器で流量を測定して積分し、総流量を算出する。所定量に達した後、バルブが電気的に作動して水流を遮断する。
水処理装置における機械総計は、米国特許第4,681,677号や同第4,698,164号に示されている。この機械的手法においては、典型的に装置内を通過する水の力を受けるタービンが一連のギヤに接続され、このギヤが装置内を通過する水の量を機械的に加算していく。ギヤ機構はバルブに接続されており、装置内を通過した水が所定量に達した際、そのバルブが機械的に作用して水流を遮断する。
しかしながら、従来の機械的自動遮断機構にはいくつかの避けられない問題点がある。その１つは、第4,681,677号特許におけるごとき機構がコンパクトな装置に搭載するには嵩ばりすぎることである。従来装置における別の問題は、流量総計のリセット及び遮断機構を必要以上に複雑化し、また高価なもととする。例えば、第4,681,677号特許に示される装置をリセットするのに、回転カムからのバルブ解除および総計機構の表示をゼロ流量位置に戻すためのギヤ分離を手作業で行わなければならないこと明白である。第4,698,164号特許においては、遮断弁が交換可能カートリッジに組込まれており、ギヤ機構がカートリッジの交換時に遮断弁と接続される。このアプローチは、遮断弁が再使用されずにカートリッジとともに廃棄されてしまうので、不必要な浪費を伴い、高価なものとなる。
蛇口取付けタイプの水処理装置において、自動遮断寿命表示は従来技術には見られない技術である。これは、少なくとも、要求されるコンパクトサイズ装置内に自動遮断及び機械的流量総計機構を設ける際の障害に部分的に起因している。この結果、従来型装置は、上述の第4,686,037号特許に記載のようなかなり粗雑な形式の寿命表示を採用する。従来の寿命表示装置は、正確さを欠くだけでなく、認定基準で求められる以上に頻繁にカートリッジ交換が必要となるため、不必要な浪費となる。
蛇口取付型水処理装置に共通する特徴は、フィルタ媒体からの水を迂回させ、未処理水を蛇口から出せることである。これは、フィルタ媒体の不必要な使用が回避でき、水を飲料水として使用せず、例えば手若しくは皿を洗うのに使用する場合に水処理装置を迂回させることをユーザに許容するので望ましい。
この様なバイパス機構は、第4,686,037号特許に記載されている。この装置では、取付部材の対向端部に、バイパスバルブを制御する別個のハンドルが取着されている。他の先行技術でも同じ手法を採用しており、従って一定の不都合を具備する。別個のハンドルは、バイパス機構の製造をより複雑にし、また高価にする。また、蛇口取付式装置が採用される環境が故、これらの装置を清潔に保つという大きな問題がある。別個ハンドルは、この点をより困難にするだけで、装置の表面積を増大させ、清掃困難なものとする。最後に、追加されたハンドルは、蛇口取付型装置にとって特に重要な感心事である外観を害する。
これまで必要とされてきたのは、コンパクトかつ低価格で、製造容易な、リセットが簡単な自動遮断機構を備える水処理装置である。また、求められているのは、自動遮断機構及び簡単なバイパス機構を備える蛇口取付装置である。
発明の概要
本発明によれば、交換可能なフィルタカートリッジを備える水処理装置が提供された。フィルタカートリッジは、機械的又は化学的フィルタ媒体若しくはこれらの組合わせを含んでいてもよい。
本発明の１の概念において、水処理装置は、濾過した水の量を機械的に合計する装置と、交換可能フィルタが耐用期限に達したことを表示する装置とを含む構成とされる。耐用期限表示は、所定量の水の濾過後に水流を停止するバルブ機構によって提供される。また、該装置は、ばねを含む流量総計機構をリセットする機構を備えている。このばねは、流量総計機構に接続されるとともに、その機構を付勢しており、また、流量総計機構を解除する機構が含まれる。上記ばねは、この目的に適する如何なる機械ばねであってもよく、例えば、トーションばね、コイルばね、板ばね、圧縮又は伸長形式の螺旋ばねが含まれる。
本発明の別の概念において、水処理装置は、カートリッジを通過した水が所定量に達したときに水流を止める遮断弁を備えて成る。該装置は、さらに、遮断弁が閉じると負荷状態になるばねと、フィルタカートリッジの交換時にばねを負荷状態から解放して遮断弁を開く解放アームとを含む。
本発明の更に別の概念において、水処理装置は、濾過した水の量を機械的に合計する機構と、濾過した水が所定量に達した際に水流を停止することによって寿命を表示する機構とを含む。遮断弁機構は、装置内に永久的に設置されており、カートリッジの交換の度に交換する必要がない。また、該装置は、流量総計機構をリセットする機構を含み、このリセット機構はフィルタカートリッジの交換によってリセットを行う機構から成る。
本発明のリセット機構は、蛇口取付型及びカウンタ載置型などの末端水処理装置に適用できるばかりでなく、流し台下側取付型などの設備途中の水処理装置にも使用できる。
本発明の他の概念において、水処理装置は蛇口取付装置から成る。この蛇口取付装置は、その装置を所定量の水が通過した際にフィルタカートリッジ内の水流を遮断することによって寿命の到来を表示する機構を含む。
本発明の更に別の概念において、水処理装置は、新規な流水迂回構造を備える蛇口取付型装置から成る。この蛇口取付型装置は、ハウジングから成り、そのハウジング内には取水及び排水開口を備えるフィルタ要素が収容されている。取付け部材は、取水口及び排水口を備え、この取水口を介して蛇口に接続可能となっている。バルブは、取付部材及びハウジングと作用可能に接続されており、第１及び第２の流水溝を備える。第１流水溝は取水口と取水開口の間を延び、第２流水溝は取水口と排水口の間を延びている。バルブ本体は第１及び第２の水流位置間において取付部材に対して回転可能となっている。第１の水流位置において、水は取水口から第１流溝を通ってハウジングの取水開口に流入し、フィルタ要素を通ってハウジングの排水開口から排出される。第２水流位置において、水は取水口から第２流水溝を通り、取付部材の排水口から排水される。このように、ハウジングの回転により、水はハウジング内の流れから取付部材内の流れへ流路変更される。
本発明を特徴づける上記及びその他の新規特徴及び利点は添付のクレームに記載の通である。しかし、本発明及びその利点の理解をより高めるため、本書の一部を構成する図面及び本発明の好適実施例を説明する以下の詳細な記載を参照されたい。
【図面の簡単な説明】
図１は、本発明による水処理装置の展開斜視図である。
図２は、図１の水処理装置を図４の２−２線から見た断面図である。
図３は、図１の水処理装置を図５の３−３線から見た部分断面図である。
図４は、ゼロ流量位置における本発明の水流遮断機構を一部断面で示す平面図である。
図５は、寿命位置における本発明の水流遮断機構を一部断面で示す平面図である。
図６は、本発明の水流遮断機構が中間位置にあり、本発明のリセット機構が作動状態にある際の水流遮断機構を一部断面で示す平面図である。
図７は、水流が取付部材中に流路変更された本発明によるバイパス機構の断面図である。
図８は、図７に示される水流バイパス機構を図７の８−８線から見た端部断面図である。
好適実施例の詳細な説明
図面を参照するに、類似の符号は類似の部材を示しており、蛇口取付型水処理装置１０が図１〜８に示されている。水処理装置１０は蛇口取付型であるが、本書に開示する多くの新規特徴は途中型或はカウンタ載置型装置にも適用可能である。
図１及び２を参照するに、水処理装置１０はハウジング２０から成り、このハウジングは上側部２２と、上側部２２にねじ込まれるキャップ２４とで構成される。第１のＯリング２６はキャップ２４の溝２８に設けられ、上側部２２とキャップ２４との間に水密シールを形成する。交換可能フィルタカートリッジ４０は、下から上側部２２に挿入され、キャップ２４は上側部２２に螺合されてカートリッジ４０をハウジング２０に固定する。
水は以下のごとくハウジング２０及びフィルタカートリッジ４０内を流れる。水は、バルブ本体３０の取水開口２１からハウジング２０内に入り、ハウジング２０とフィルタカートリッジ４０との間に形成されるとともに、カートリッジ４０の上端５２に設けられた周環状溝６２を含む環状スペース６０を満たす。図１及び３に最も詳細に示されるように、水は、次いで溝６２から、上端５２のノッチ６４に入り、下部プレート７０及び上部プレート８０の円筒形部７２、８２を通って上方に流れる。水は、次いでタービン１００のブレード１０２を回転させるべく上端プレート９０（図１に最も詳細に示される）の噴出口９２から噴き出る。タービン１００は、図２に示すように、上端プレート９０に組み込まれ、ブレード１０２と上端プレート９０との間の間隔を最小にすることによってタービン効率の最大化を図っている。水は、タービン１００を出て、上部プレート８０の第２円筒部材８４上を延びる上端プレート９０の出口シリンダ９４を通過する。
通常の使用状態（つまり、水流が“遮断”されていない場合）において、水は、その後、上端５２の取水開口６６からカートリッジ４０内に流れ込む。各種の部材が設けられているため水は最初に上述のごとく流れる一方、水は、概ね下部プレート７０との間に画成されたチャンバ６８をハウジング２０の上部２２まで満たす。水は、フィルタディスク４３、第２スクリーン５５、第１媒体４２、第１スクリーン５４、第２媒体４４およびポストフィルタ５６を通過することによってカートリッジ４０を通過し、次いでリテーナ４８の穴４９から流出する。その後、水は排水口２９を通ってハウジング２０の外へ出る。排水口２９は、様々な形状を取ることが可能であり、ハウジング２０の様々な位置に設けることが可能であるが、排水口２９を設ける好適な位置はハウジング２０の底部である。
取り付け部材１１０は、水処理装置１０を蛇口（図示せず）に取り付けるのに使用される。アダプタ（調節）ナット１１２は、取入口１１３を画成するとともに、アダプタナット１１２によって支持され、本体１１４の環状溝１１５に水密に保持された本体１１４にスクリーン１１６を介して連結されている。エアレータ（aerator）１１８とエアレータノブ（aerator nub）１２０は、本体１１４に下方から挿入され、エアレータ１１８は出口１１９を画成する。取付部材本体１１４は、バルブ本体３０まで延び、これらは第３Ｏリング１２２、第４Ｏリング１２３及び第５Ｏリング１２４によって密閉接続されている。第５Ｏリング１２４は、本バルブ体３０の軸方向溝３４に突入する本体１１４の延長部１２６を包囲する。軸方向溝３４は、射出成形による製造の便宜のため好ましくはテーパ状とされている。
バルブ本体３０は、ユーザの希望によりカートリッジ４０を迂回させることを許容するため２つの水流位置間の取付部材１１０内で回転可能とされている。図２に示される第１の水流位置において、水は、取入口１１３から半径方向溝３３及び軸方向溝３４によって形成される第１水流溝３２を通り、ハウジング２０の取水開口２１に流れ込む。図７及び図８に示される第２の水流位置において、水は、取入口１１３からＣ字形第２溝３６を通り、取付部材１１０の出口１１９から流出する。当業者が容易に理解できるように、第１及び第２溝３２、３６は、ハウジング２０の回転によって流路変更を達成するため他の各種の形状とすることができる。また、バルブ本体３０は、バルブ本体３０をハウジング２０に固定しなければならないが、好適実施例におけるごとく、ハウジング２０の上側部２２を備える単一部材として成型してもよい。
水処理装置１０は、交換可能フィルタカートリッジ４０の残余有効期限（寿命）の到来を示す挿置１５を備えている。この装置１５は流量総計機構１３０及び遮断弁機構１５０を備えている。流量総計機構１３０及び遮断弁機構１５０は、同一目的を達成するため本発明の範囲内で様々な形態のものを採用可能であることは当業者が容易に理解するところである。装置１５は、また、流量総計機構１３０及び遮断弁機構１５０のリセットを行うリセット機構１６０も備えている。好適実施例では、リセット機構１６０は、カートリッジ４０の挿入によって解除される付勢ばね１６２を含む。しかし、ばね１６２を他の手段で解除してもよいことは当業者の理解するところである。また、総計機構１３０及びバルブ機構１５０は、ばねを含まないカートリッジ４０の挿入に応答する各種の他の機構でリセットしてもよい。
好適な総計機構１３０において、タービン１００は、回転セクタ１４０と接続された複数のギヤ１３２に接続されている。タービン１００は、第１ギヤ１３４と直線的に接続する必要はなく、またセクタ１４０は、最終ギヤ１３６と直接接続する必要はない。ギヤ１３２は、好適実施例において各々１０対１の比率で連続して互いに連結されている。タービン１００及び２つのギヤ１３２は、第１ピン１３８上に重ねられ、第１ギヤ１３４及び最終ギヤ１３６を含む残りの３つのギヤ１３２は、第２ピン１３９上に重ねられる。ピン１３８、１３９は、ハウジング２０の上側部２２によって上方から所定位置に固定される。また、第１ピン１３８は、下から上部プレート８０に設けられた穴に挿入されて、第２ピン１３９は、上部プレート８０の隆起部８６に載置されてこの隆起部８６を貫通する最終ギヤ１３６によって所定位置に保持される。
最終ギヤ１３６は、図４及び図５に最も詳細に示されるように、セクタ１４０の歯１４２に係合する最終ギヤ１３６のピニオン１３７を介してセクタ１４０に接続されている。従って、タービン１００が回転すると、ギヤ１３２が連続して回転してピニオン１３７を介してセクタ１４０を回転せしめ、もってカートリッジ４０を通過する水の総量を”合計”する。
好適な遮断弁機構１５０は、セクタ１４０により保持されこれと共に回転するボール１５２と、フィルタカートリッジ４０の流入口６６を含む。遮断弁機構１５０は、図２及び図４に示されるように、流量０の位置からスタートする。図３及び図５に示すように、流量総計機構１３０がセクタ１４０を水流停止位置まで回転させた後、ボール１５２は、下部プレート７０を貫通して延びる上端５２の隆起部５１によって形成されるフィルタカートリッジ４０の流入口（取水開口）６６の中に填る。他の各種の適当な機械的バルブ機構を採用してもよいことは当業者が理解するところである。
リセット機構１６０は、セクター１４０に接続され、セクタ１４０が回転する際にこれによって巻かれるばね１６２を含む。好適実施例は、コイルばね１６２を採用しているが、ここに述べた以外の様々なタイプのばねも、流量総計機構によって付勢するばねであれば使用可能である。好適実施例においてばね１６２を解除するため、ピニオン１３７はセクタ１４０の歯１４２から半径方向に解除され、もって図６に示すようにセクタ１４０をばね１６２を介してゼロ流量位置まで回転復帰させる。歯１４２及びピニオン１３７は、同一結果を得るため軸方向に分離してもよい。
好適な実施例において、ばね１６２は、解除アームとして作用するスライド１６４の横移動によって解除される。スライド１６４は、セクタ１４０とばね１６２が回転可能に取付けられた垂直延長部１６５を含む。ばね１６２は、対向端部から延びるレバー１６３を含み、一方のレバー１６３はセクタ１４０の停止部１４４に当接しており、他方のレバー１６３は下部プレート７０の固定停止部７４に当接している。この構成は、ばね１６２が、セクタ１４０の捩れ運動及びスライド１６４の横移動に抵抗するため、セクタ１４０をリセットする機能及びスライド１６４を未スライド位置に復帰させる機能を果たすことを許容する。スライド１６４は、下部プレート７０のガイド７６によってライン中に保持される。上部プレート８０と下部プレート７０の間の部材は、図１に示すように下から挿入されたねじ８８によって合体される。
好適実施例において、スライド１６４は、カートリッジ４０の挿入及び取り外しによってスライドする。スライド１６４は、ボタンを押して総計機構１３０をリセットすることなどの他のいろいろな方法で移動してもよい。総計機構１３０は、カートリッジ４０の交換に応答する他の各種の機構によってリセットするようにしてもよい。例えば、機構は、カートリッジ４０の挿入が最終ギヤ１３６をセクタ１４０から軸方向に分離せしめる、或は、これによってばね１６４を使用することなくセクタ１４０の分離及び回転を行うように構成してもよい。
好ましい装置において、スライド１６４は、カートリッジ４０の上端部５２から軸方向に延びるカム５３によってスライドされる。カートリッジ４０がハウジング２０に軸方向に挿入された際、カムは下部プレート７０の開口７８を通って延び、スライド１６４のカムフォロア面１６６に当接してスライド１６４を幅方向に移動する。
好適実施例には、フィルタカートリッジの期限切れ表示である水流停止に加え、交換可能フィルタカートリッジ４０の残存有効期限の連続する視覚表示が設けられている。この表示は、セクタ１４０が回転する際にレンズ１７０を通して見ることができるセクタ１４０の端部のカラースクリーン１４６によって達成される。図１を参照すれば、レンズ１７０はハウジング２０の上側部２２のスロット２３に挿入され、ガスケット１７１によって密閉される。
好適実施例において、カートリッジ４０は、鉛除去に有効なイオン交換樹脂からなる第１媒体４２と、粒状活性炭（Granular Activated Charcoal-GAC）からなる第２媒体の２つの化学フィルタ媒体で構成される。機械的或は他の化学フィルタ媒体を本発明の範囲内で各種或は組合わせて用いてもよい。
好適なカートリッジ４０において、媒体４２、４４は、ベース４６、内側に延びるベース４６の円筒形部５０と摩擦係合するＯリングリテーナ４８及びベース４６の上側部の内側と摩擦係合する上端部５２によって被覆されている。ベース４６は、カートリッジ４０を上方のハウジング２０に押込むべくキャップ２４によって支持された肩部４７を含む。リテーナ４８は、リテーナ４８と、円筒形部５０と、キャップ４８の内方延長部２５の間にシールを達成するため第２のＯリングを所定位置に保持する。水は、リテーナ４８の穴４９を通ってカートリッジ４０から出る。
カートリッジ４０内において、フィルタ媒体４２および４４（第１図には示さず）は、第１スクリーン５４によって分離され、第２スクリーン５５は、上端部５２と第２スクリーン５５の間に保持されたフィルタディスク４３から第１媒体４２を分離する。フィルタディスク４３は、白色濾紙製とされ、ユーザがカートリッジ４０の作用状態を視認でき、特定カートリッジが使用されていることを確認できるようにする。好適実施例において、上端部５２は、ディスク４３が汚染物質を収集し、カートリッジ４０が使用済みかどうかを確認できるよう透明とされている。Ｕ字型ポスト（post）フィルタ５６は、円筒形部５０上を延びてＧＡＣが流出するのを防止し、ポストフィルタキャップ５７はフィルタ５６上を延びて水流をカートリッジ４６の底に向けて全第２媒体４４が確実に使用されるようにする。
本発明は、例示した上記好適実施例に限定されない。添付クレームに記載される本発明の思想の範囲内で特に部材の材質、部材の配置、寸法、形状などに細かな変更が可能である。
【図１】
0003677043.tif 000002
【図２】
0003677043.tif 000003
【図３】
0003677043.tif 000004
【図４】
0003677043.tif 000005
【図５】
0003677043.tif 000006
【図６】
0003677043.tif 000007
【図７】
0003677043.tif 000008
【図８】
0003677043.tif 000009